(57)【要約】【課題】  簡単な作業でルアーのタイプを変更することができ、ルアーのタイプを変更後も、ルアーの動きに変化を来すことのないルアーを提供する。【解決手段】  本発明は、ルアー本体２の先端に水流抵抗板３を設けたルアーにおいて、前記水流抵抗板３の下部に、錘８を取り付け可能な錘連結部５を設けるようにした。【選択図】  図１
2005065667.tif 000002
【特許請求の範囲】
【請求項１】
ルアー本体（２）の先端に水流抵抗板（３）を設けたルアーにおいて、
前記水流抵抗板（３）の下部に、錘（８）を取り付け可能な錘連結部（５）を設けることを特徴とするルアー。
【請求項２】
前記錘連結部（５）は、環状に形成されていることを特徴とする請求項１記載のルアー。
【発明の詳細な説明】
【技術分野】
【０００１】  本発明は、釣り用のルアーに関し、特に、ルアー本体の先端に水流抵抗板が設けられたルアーに関する。
【背景技術】
【０００２】  釣りに利用するルアーとは、生餌に代わるものであり、樹脂、木材及び金属などで形成された本体に、釣り針を設けたものである。魚はこのルアーを生餌と勘違いして食いつき、ルアーに設けられた釣り針にかかり、釣られるのである。このルアーには、多くの種類が開発されている。その一例を図３に示す。【０００３】  図３より、ルアー２１は、魚等に似せた形状を有する本体２２と、その顎部から前方に突出した水流抵抗板（以下、リップ２３ともいう）とから構成されている。本体２２には、腹部及び尾部に、それぞれ釣り針２７，２７を取り付けるための釣針連結部２６，２６が設けられている。また、リップ２３には、その中心線上部に釣り糸を係止させるための釣糸係止部２４が設けられている。【０００４】  上記構成からなるルアー２１は、釣糸係止部２４に釣り糸（図示せず）が取り付けられ、釣針連結部２６，２６に、釣り針２７，２７が取り付けられる。そして、ルアー２１は、水中にキャスティングされ、リール操作を行うことによって、水中で魚のように泳動し、魚をおびき寄せることができる。このときリップ２３は、その上面に水流を受けるので、この水の抵抗により本体２２を浮かしたり、沈めたり、あるいは魚に似せた動きをさせたりしている。【０００５】  ところで、ルアー２１には、機能によってフローティング、サスペンド、シンキングの三つのタイプがある。【０００６】  フローティングタイプは、比重が水よりも軽く、リトリーブしなければ水面に浮いたままの状態を有する。このタイプのルアー２１は、浮力が高く、表層を狙うのに適したルアーであり、魚が表層にいるときに有効である。【０００７】  サスペンドタイプは、水と同じ比重を有し、リトリーブをしなければ一定の深度に留まるものである。このタイプのルアー２１は、魚の活性が低いとき、あるいは魚が中層にいるときなどに適している。【０００８】  シンキングタイプは、比重が水よりも重く、リトリーブをしなければ沈んでいくものである。このタイプのルアー２１は、深場の魚や、中層から深場まで幅広く魚を捕るときに有効である。【０００９】  このようにルアー２１は、釣りたい魚の種類や、魚の生息する領域などに合わせて、上述した三つのタイプから使い分けなければならない。しかし、同じ種類の魚でも、釣りをする場所や季節により、魚が遊泳する水深が異なるため、釣り人は、複数の種類のルアーを用意しなければならない。【００１０】  そこで、フローティングタイプのルアーに錘を取り付けて、比重を調整することにより、他のタイプのルアーに変更させることが提案されている。図３に、錘を取り付けたルアーの一例の側面図を示す。ルアー２１には、釣針連結部２６，２６に取り付けた釣り針２７，２７の中心軸に、鉛などの錘２８，２８が巻き付けられている。このようにして、ルアー２１の重さを調整することにより、フローティングタイプのルアー２１をサスペンドタイプまたはシンキングタイプのルアー２１に変更することができる。【００１１】  ルアー２１以外にも、錘を取り付けた別のルアーの例を図４に示す。図より、ルアー３１では、腹部に設けた鉛板貼付部３３，３３に、板状の錘である鉛板３２，３２を貼り付けている。つまり、ルア���３１では、鉛板３２を用いて重さを調整することにより、ルアーのタイプを変更することができる。
【発明の開示】
【発明が解決しようとする課題】
【００１２】  しかしながら、図３に示すルアー２１は、釣り針２７，２７にバランスよく錘２８，２８を巻き付けなければならず、作業が面倒である。しかも、巻き付け作業時に、釣り針２７の針が指に刺さるおそれがある。また、巻き付けるべき錘の量は、釣り人の経験則に頼っている部分でもあり、ルアー２１の重さ調整が容易ではない。【００１３】  一方、図４に示すルアー３１では、鉛板貼付部３３，３３に貼り付けた鉛板３２，３２の粘着力によっては、鉛板３２，３２が剥離するおそれがある。また、鉛板３２，３２を貼り付けたとき、ルアー３１の慣性モーメントが変わるため、好適な動きを行うことができない。つまり、鉛板３２，３２を鉛板貼付部３３，３３に貼り付ける前と、貼り付けた後で、ルアー３１の動きが変化してしまうことがある。【００１４】  そこで、本発明は、上記課題を鑑みてなされたもので、簡単な作業でルアーのタイプを変更することができ、しかも、ルアーのタイプを変更後も、ルアーの動きに変化を来すことのないルアーを提供する。
【課題を解決するための手段】
【００１５】  上記課題を解決するために、本発明に係るルアーは、ルアー本体２の先端に水流抵抗板３を設けたルアーにおいて、前記水流抵抗板３の下部に、錘８を取り付け可能な錘連結部５を設けるようにした。【００１６】  上記構成からなるルアーによれば、錘連結部５が水流抵抗板３の下部に設けられているので、錘８を取り付けたとしても、水流抵抗板３に遮られて本体２に水流の抵抗を受けることがない。従って、錘８を取り付ける前と、取り付けた後で、ルアー１の動きに変化を生じさせることがない。【００１７】  また、本発明に係るルアーは、請求項２記載の如く、前記錘連結部５が、環状に形成されている構成を採用することができる。すなわち、錘連結部５の環状部分に錘８を取り付けたり、あるいは付け替えることにより、容易に所望のタイプのルアーに変更させることができる。
【発明の効果】
【００１８】  即ち、本発明に係るルアーは、水流抵抗板（リップ）の下部に、錘を取り付け可能な錘連結部を設けるようにしたので、錘を付けたり、あるいは付け替えることにより、容易に所望のタイプに変更させることができる。つまり、釣り人は、ルアーの比重を調整する手間がなくなり、かつ、複数の種類のルアーを用意する必要がなく、１つのルアーを用意すれば足りる。【００１９】  また、ルアーの動きの中心となる部分（釣糸係止部）の近傍に錘連結部を設けたので、錘を取り付けたとしてもルアーの慣性モーメントが変化することがない。従って、錘を取り付ける前と、取り付けた後で、ルアーの動きが変化してしまうことがない。
【発明を実施するための最良の形態】
【００２０】  以下、本発明の一実施形態について図面を参酌しつつ説明する。【００２１】実施の形態１．
図１は、本発明の実施の形態１によるルアーの一例の斜視図である。ルアー１は、外観が魚の形状を有する本体２と、本体２の顎部から前方に突出した板状のリップ３とを具備する。【００２２】  本体２には、腹部及び尾部に、それぞれ釣り針を取り付けるための腹部用カン６ａ及び尾部用カン６ｂが形成されている。【００２３】  リップ３には、その上部に、釣り糸を係止するための釣糸係止部４が形成されている。釣糸係止部４は、リップ３の上部中心線に沿って前後に２個隣接して形成されている。この釣糸係止部４には、釣り竿（図示せず）から繰り出される釣り糸が取り付けられる。２個隣接している釣糸係止部４のうち、前方の係止部４は、ハイスピード用であり、後方の係止部４は、スロースピード用であり、状況に応じて何れか一方を選択すればよい。前方の係止部４に釣り糸を取り付けると、本体の動きが細かくなり、ハイスピードでリトリーブしても本体２の動作の破綻は少ない。また、後方の係止部４に釣り糸を取り付けると、本体２の動きが大きくなり、スロースピードでリトリーブすると、より大きな動作を得ることができる。【００２４】  釣糸係止部４の反対側には、錘８を取り付けるための錘連結部５が形成されている。錘連結部５の形状は、環状を有する。ここで、錘連結部５は、釣糸係止部４と一体的に形成され、リップ３の中心線を貫いて固定されている。【００２５】  また、錘８の一端には、錘８を錘連結部５の環状部分に取り付けるための締結具（いわゆる「サルカン」）７が取り付けられている。【００２６】  上記構成からなるルアー１は、例えば、錘８を取り付けていない状態のときは、フローティングタイプに設定されている。使用する場所や状況に合わせて、サスペンドタイプまたはシンキングタイプに変更したいときは、変更したいタイプの錘８を錘連結部５に取り付けることにより、所望のタイプのルアー１に変更可能である。【００２７】  このように、本実施の形態にかかるルアー１によれば、錘連結部５に、錘８を取り付けたり、あるいは付け替えることにより、容易に所望のタイプのルアー１に変更することが可能である。また、ルアー１の動きの中心となる釣糸係止部４の近傍に錘連結部５を設けたので、錘８を付けたとしてもルアー１の慣性モーメントが変わることがなく、従って、錘８を取り付ける前と、取り付けた後で、ルアー１の動きに変化を生じさせることがない。【００２８】  なお、錘連結部５は、リップ３の中央、もしくは中央より付近に形成することが好ましい。このような構成で錘８を取り付けると、リトリーブ時にルアー１の先端部分が下がり、潜行能力をさらに向上させることができる。【００２９】  また、釣糸係止部４は２個隣接させて設けるものとしたが、１個であっても構わない。また、釣糸係止部４及び錘連結部５は、それらを一体的に形成するものとしたが、別々の部品として、リップ３に設けたり、あるいは釣糸係止部４及び錘連結部５とリップ３とを一体的に形成してもよい。【００３０】実施の形態２．
図２は、本発明の実施の形態２によるルアー及び錘の一例の斜視図である。ルアー１１は、錘連結部１２に錘１３を直接連結すること以外、図１と同様の構成である。つまり、錘１３には、一方向に設けた開口部１４から錘連結部１２を挿入可能に溝が形成されている。【００３１】  上記構成からなるルアー１１は、変更したいタイプの錘１３を錘連結部１２の後端から先端へ挿入することにより、所望のタイプのルアー１１に変更可能である。【００３２】  このように、本実施の形態にかかるルアー１１によれば、錘連結部１２に錘１３を挿入して連結すればよいので、錘１３の着脱が容易である。【００３３】  なお、錘１３の形状は、前方を弧状、後方を尖状にした流線形に形成することが好ましい。これにより、直接、錘１３に水流を受けても抵抗がかからず、錘１３を取り付ける前と、取り付けた後で、ルアー１１の動きに変化を生じることがない。【００３４】  また、本実施の形態では、錘１３を錘連結部１２に挿入させて取り付けるようにしたが、錘１３を錘連結部１２と連結することができれば、これらの連結方法に限られるものではない。例えば、錘の一部にクリップ形状の締結具を取り付け、該締結具を錘連結部に挟持するようにしてもよい。その他にも、錘連結部及び錘の双方を螺合させて結合するようにしてもよい。このような構成であっても、容易にルアーのタイプを変更することが可能である。しかも、錘はリップ３に遮られて水流の抵抗を受けないので、錘を取り付ける前と、取り付けた後で、ルアーの動きに変化を生じることがない。【００３５】  上述したルアー１，１１は、トローリング用として用いることもできる。サスペンドタイプに変更させたルアーでは、船のスピードを落としても、ルアーがすぐに層上に移動することなく、一定層トレースすることができる。さらに、船をＵターンさせても同じ層をトレースすることができる。また、シンキングタイプに変更させたルアーでは、沈めることにより、より深い場所を攻めることが可能となる。
【図面の簡単な説明】
【００３６】
【図１】本発明の実施の形態１によるルアーの一例の斜視図である。
【図２】本発明の実施の形態２によるルアー及び錘の一例の斜視図である。
【図３】従来の錘を取り付けたルアーの一例の側面図である。
【図４】従来の錘を取り付けた別のルアーの側面図である。
【符号の説明】
【００３７】２…本体
３…リップ
５…錘連結部
８…錘
【図１】
2005065667.tif 000003
【図２】
2005065667.tif 000004
【図３】
2005065667.tif 000005
【図４】
2005065667.tif 000006